(57)【特許請求の範囲】
【請求項１】
電子装置が実施する配送状態管理方法において、
物品に関連した情報を配送員端末に伝送する段階と、
前記配送員端末から前記物品の配送進行状態に関連した情報を受信する段階と、
前記配送進行状態に関連した情報が第１タイプに対応する場合、前記物品に対する払い戻し手続および前記物品に対する返品手続を行う段階と、
前記配送進行状態に関連した情報が第２タイプに対応する場合、前記物品に対する再配送手続を行う段階と、を含み、
前記払い戻し手続を行う段階は、前記物品の購買者に払い戻しに関する情報を伝送する段階を含み、
前記払い戻しに関する情報が、注文情報、払い戻し案内理由、および払い戻し所要期間を含み、
前記第２タイプに対応する前記配送進行状態に関連した情報が前記配送員端末に入力される場合より、前記第１タイプに対応する前記配送進行状態に関連した情報が前記配送員端末に入力される場合に、より多くのページが前記配送員端末に提供され、
前記第２タイプではなく前記第１タイプに対応する情報が入力されるとき、より多くの回数が前記配送員端末に入力される、配送状態管理方法。
【請求項２】
前記第１タイプに対応する情報は、
購買者が受取拒否をした場合を示す情報、前記物品の配送住所が間違った住所である場合を示す情報および前記物品の配送住所が出入り制限地域である場合を示す情報のうち少なくとも1つを含む、請求項１に記載の配送状態管理方法。
【請求項３】
前記第１タイプに対応する配送進行状態に関連した情報は、前記配送員端末で前記物品の配送住所情報が表示された画面で入力される、請求項１に記載の配送状態管理方法。
【請求項４】
前記配送進行状態に関連した情報が第１タイプに対応する場合、前記物品に対する返品指示が送信される別の配送員端末を特定し、前記物品に対する返品指示を前記別の配送員端末に伝送する段階をさらに含む、請求項１に記載の配送状態管理方法。
【請求項５】
前記第１タイプに対応する配送進行状態に関連した情報は、前記配送員端末で第２タイプに対応する配送進行状態と異なる入力画面で選択される、請求項１に記載の配送状態管理方法。
【請求項６】
再配送手続を行う段階は、配送員によって配送されるシフトの次のシフトに前記物品が配送されるように処理する段階を含む、請求項１に記載の配送状態管理方法。
【請求項７】
前記第２タイプに対応する情報は、
配送員が進入不可な場合を示す情報、前記配送員が前記物品を配送するのに時間が不足した場合を示す情報および前記配送員が誤分類または誤積載した場合を示す情報のうち少なくとも１つを含む、請求項６に記載の配送状態管理方法。
【請求項８】
前記配送進行状態に関連した情報が第３タイプに対応する場合、前記物品に対する払い戻し手続および前記物品に対する返品手続を行う段階を含み、
前記第３タイプに対応する情報は、購買者が注文取消をした前記物品が前記購買者に配送される前の状態で配送員により取消確認された場合を示す情報を含む、請求項１に記載の配送状態管理方法。
【請求項９】
配送員端末が実施する配送状態管理方法において、
物品に関連した情報を表示する段階と、
前記物品の配送進行状態に関連した情報を入力される段階と、
前記配送進行状態に関連した情報が第１タイプに対応する場合、前記物品に対する払い戻し手続および前記物品に対する返品手続が進行され得るように前記第１タイプに対応する情報を電子装置に伝送する段階と、
前記配送進行状態に関連した情報が第２タイプに対応する場合、前記物品に対する再配送手続を行うように、前記第２タイプに対応する情報を前記電子装置に伝送する段階と、を含み、
前記払い戻し手続を行うことは、前記物品の購買者に払い戻しに関する情報を伝送することを含み、
前記払い戻しに関する情報が、注文情報、払い戻し案内理由、および払い戻し所要期間を含み、
前記第２タイプに対応する前記配送進行状態に関連した情報が前記配送員端末に入力される場合より、前記第１タイプに対応する前記配送進行状態に関連した情報が前記配送員端末に入力される場合に、より多くのページが前記配送員端末に提供され、
前記第２タイプではなく前記第１タイプに対応する情報が入力されるとき、より多くの回数が前記配送員端末に入力される、配送状態管理方法。
【請求項１０】
前記第１タイプに対応する情報は、
購買者が受取拒否をした場合を示す情報、前記物品の配送住所が間違った住所である場合を示す情報および前記物品の配送住所が出入り制限地域である場合を示す情報のうち少なくとも1つを含む、請求項９に記載の配送状態管理方法。
【請求項１１】
前記第２タイプに対応する情報は、配送員が進入不可な場合を示す情報、前記配送員が前記物品を配送するのに時間が不足した場合を示す情報および前記配送員が誤分類または誤積載した場合を示す情報のうち少なくとも１つを含む、請求項９に記載の配送状態管理方法。
【請求項１２】
前記配送進行状態に関連した情報が第３タイプに対応する場合、前記物品に対する払い戻し手続および前記物品に対する返品手続が進行され得るように前記第３タイプに対応する情報を電子装置に伝送する段階を含み、
前記第３タイプに対応する情報は、購買者が注文取消をした前記物品が前記購買者に配送される前の状態で配送員により取消確認された場合を示す情報を含む、請求項９に記載の配送状態管理方法。
【発明の詳細な説明】
【技術分野】
【０００１】
本開示は、注文された物品の配送状態を管理する方法およびこれを行う電子装置に関する。
【背景技術】
【０００２】
電子商取引が本格的に具現され、数多くのユーザが物品を、インターネットを介して購入するに伴って、物品の迅速配送が重要になっている。しかしながら、配送員が物品を配送するとき、様々な理由によって配送遅延または配送中断が発生し得る。この際、配送遅延または配送中断される理由が顧客に正確に伝達されておらず、配送中断によって払い戻しされる場合にも、払い戻し手続が遅れる問題があった。例えば、配送中断される場合、顧客が配送された物品の受取拒否をした場合でなくても、顧客に受取拒否によって配送中断されると案内されて、正確な配送中断理由が顧客に案内されなかった。また、配送中断によって払い戻しされる場合、配送員が物品を保有していて、直ちに払い戻しが可能であるにも関わらず、払い戻しが遅れていた。
【発明の概要】
【発明が解決しようとする課題】
【０００３】
開示された実施形態は、注文された物品の配送状態を管理する方法およびこれを行う電子装置を開示しようとする。以下の実施形態を通じて導き出され得る目的は、以上で言及した目的に制限されず、言及されていない他の目的および長所は、下記の説明により理解され得、実施形態によりさらに明瞭に理解され得る。また、実施形態を通じて導き出される目的および長所は、請求範囲に示した手段およびその組合せにより実現され得ることを容易に知ることができる。
【課題を解決するための手段】
【０００４】
一実施形態によれば、電子装置は、物品（ｉｔｅｍ）に関連した情報を配送員端末（ｃｏｕｒｉｅｒ  ｔｅｒｍｉｎａｌ）に伝送する段階と、前記配送員端末から前記物品の配送進行状態に関連した情報を受信する段階と、前記配送進行状態に関連した情報が第１タイプに対応する場合、前記物品に対する払い戻し手続を行う段階と、を含む、配送状態管理方法を行うことができる。
【０００５】
一実施形態によれば、前記第１タイプに対応する情報は、前記購買者が受取拒否（ｒｅｆｕｓａｌ  ｔｏ  ｒｅｃｅｉｖｅ）をした場合を示す情報、前記物品の配送住所が間違った住所（ｗｒｏｎｇ  ａｄｄｒｅｓｓ）である場合を示す情報および前記物品の配送住所が出入り制限地域である場合を示す情報のうち少なくとも１つを含むことができる。
【０００６】
一実施形態によれば、前記第１タイプに対応する配送進行状態に関連した情報は、前記配送員端末で前記物品の配送住所情報が表示された画面で入力され得る。
【０００７】
一実施形態によれば、前記払い戻し手続を行う段階は、前記物品の購買者に払い戻しに関する情報を伝送する段階を含むことができる。
【０００８】
一実施形態によれば、前記配送進行状態に関連した情報が第１タイプに対応する場合、前記物品に対する回収指示を前記配送員端末に伝送することができる。
【０００９】
一実施形態によれば、前記第１タイプに対応する配送進行状態に関連した情報は、前記配送員端末で第２タイプに対応する配送進行状態と異なる入力画面で選択され得る。
【００１０】
一実施形態によれば、前記配送進行状態に関連した情報が第２タイプに対応する場合、次のシフト（ｓｈｉｆｔ）に前記物品が配送されるように処理することができる。
【００１１】
一実施形態によれば、前記第２タイプに対応する情報は、配送員が進入不可な場合を示す情報、前記配送員が前記物品を配送するのに時間が不足した場合を示す情報および前記配送員が誤分類または誤積載した場合を示す情報のうち少なくとも１つを含むことができる。
【００１２】
一実施形態によれば、前記配送進行状態に関連した情報が第３タイプに対応する場合、前記物品に対する払い戻し手続を行う段階を含み、前記第３タイプに対応する情報は、前記購買者が注文取消をした前記物品が前記購買者に配送される前の状態で前記配送員により取消確認された場合を示す情報を含むことができる。
【００１３】
一実施形態によれば、前記払い戻し手続を行う段階は、前記配送進行状態に関連した情報の回数と基準値を比較する段階と、前記比較結果に基づいて、前記配送進行状態に関連した情報を第１タイプと確認する段階；前記第１タイプに対応する場合、前記払い戻し手続を行う段階と、を含むことができる。
【００１４】
一実施形態によれば、配送員端末（ｃｏｕｒｉｅｒ  ｔｅｒｍｉｎａｌ）での配送状態管理方法は、物品（ｉｔｅｍ）に関連した情報を表示する段階と、前記物品の配送進行状態に関連した情報を入力される段階と、前記配送進行状態に関連した情報が第１タイプに対応する場合、前記物品に対する払い戻し手続が進行され得るように前記第１タイプに対応する情報を電子装置に伝送する段階と、を含むことができる。
【００１５】
一実施形態によれば、前記第１タイプに対応する情報は、前記購買者が受取拒否（ｒｅｆｕｓａｌ  ｔｏ  ｒｅｃｅｉｖｅ）をした場合を示す情報、前記物品の配送住所が間違った住所（ｗｒｏｎｇ  ａｄｄｒｅｓｓ）である場合を示す情報および前記物品の配送住所が出入り制限地域である場合を示す情報のうち少なくとも１つを含むことができる。
【００１６】
一実施形態によれば、前記配送進行状態に関連した情報が第２タイプに対応する場合、次のシフトに前記物品が配送され得るように前記第２タイプに対応する情報を電子装置に伝送する段階を含み、前記第２タイプに対応する情報は、配送員が進入不可な場合を示す情報、前記配送員が前記物品を配送するのに時間が不足した場合を示す情報および前記配送員が誤分類または誤積載した場合を示す情報のうち少なくとも１つを含むことができる。
【００１７】
一実施形態によれば、前記配送進行状態に関連した情報が第３タイプに対応する場合、前記物品に対する払い戻し手続が進行され得るように前記第３タイプに対応する情報を電子装置に伝送する段階を含み、前記第３タイプに対応する情報は、前記購買者が注文取消をした前記物品が前記購買者に配送される前の状態で前記配送員により取消確認された場合を示す情報を含むことができる。
【００１８】
一実施形態によって、上述した配送状態管理方法を行うためのコンピュータプログラムを記録するコンピュータ読み取り可能な記録媒体が提供され得る。
【発明の効果】
【００１９】
本開示によれば、顧客が受取拒否したもの以外に配送が不可能な場合、配送不可能に対する正確な理由が顧客に案内され得る配送状態管理方法を提供することができる。
【００２０】
また、本開示によれば、配送中断による払い戻しが遅れることなく、配送中断と共に顧客に払い戻し手続が迅速に進行され得る配送状態管理方法を提供することができる。
【００２１】
また、本開示によれば、配送員の注意を喚起することができるように、アプリケーション上のＵＩ（Ｕｓｅｒ  Ｉｎｔｅｒｆａｃｅ）を提供することによって、配送員の利用便宜性および正確性が向上し得る配送状態管理方法を提供することができる。
【００２２】
上述した効果とともに導出可能な具体的な効果は、以下、発明を実施するための具体的な事項を説明しつつ、共に記述する。
【図面の簡単な説明】
【００２３】
【図１】一実施形態に係る電子商取引システムを示す。
【図２】一実施形態に係る配送状態管理方法に関連したフローチャートを示す。
【図３】他の実施形態に係る配送状態管理方法に関連したフローチャートを示す。
【図４】他の実施形態に係る配送状態管理方法に関連したフローチャートを示す。
【図５】一実施形態に係る電子装置が物品の配送状態を管理するフローチャートを示す。
【図６】一実施形態に係る配送員端末に表示されるアプリケーションによるコンテンツを示す図である。
【図７】一実施形態に係る配送員端末に表示されるアプリケーションによるコンテンツを示す図である。
【図８】一実施形態に係る配送員端末に表示されるアプリケーションによるコンテンツを示す図である。
【図９】他の実施形態に係る配送員端末に表示されるアプリケーションによるコンテンツを示す図である。
【図１０】一実施形態に係る電子装置のブロック図を示す。
【図１１】一実施形態に係る配送員端末で行う配送状態管理方法に関するフローチャートである。
【発明を実施するための形態】
【００２４】
以下、実施形態に関連した技術分野における通常の知識を有する者が容易に実施できるように図面を参照して詳細に説明する。以下の実施形態は、様々な異なる形態で具現され得、ここで説明する実施形態に限定されない。
【００２５】
以下の説明で使用される構成要素に対する接尾辞「部」は、明細書作成の容易性のみが考慮されて付与されたり、混用されるものであって、それ自体で互いに区別される意味または役割を有するものではない。
【００２６】
明確な説明のために説明と関係ない部分は省略し、明細書全体を通じて同一または同様の構成要素に対しては、同じ参照符号を付すことにする。また、一部の実施形態を例示的な図面を参照して詳細に説明する。各図面の構成要素に参照符号を付加するに際して、同じ構成要素に対しては、たとえ他の図面上に表示されても、できるだけ同じ符号を有し得る。また、本開示を説明するに際して、関連した公知の構成または機能に対する具体的な説明が実施形態の要旨を不明瞭にし得ると判断される場合には、その詳細な説明は省略することができる。
【００２７】
実施形態の構成要素を説明するにあたって、第１、第２、Ａ、Ｂ、（ａ）、（ｂ）等の用語を使用することができる。このような用語は、その構成要素を他の構成要素と区別するためのものに過ぎず、その用語により当該構成要素の本質、順番、順序または個数等が限定されない。任意の構成要素間に「連結」、「結合」または「接続」されると記載された場合、任意の構成要素間に直接的に連結されるかまたは接続され得、各構成要素の間に他の構成要素が「介在」されるか、各構成要素が他の構成要素を介して「連結」、「結合」または「接続」され得るとも理解されるべきである。
【００２８】
本開示において、「含む」、「構成される」または「有する」等の用語は、明細書上に記載された特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたものの存在または付加可能性をあらかじめ排除しないものと理解されるべきである。
【００２９】
また、本開示を具現するにあたって、説明の便宜のために構成要素を細分化して説明することができるが、これらの構成要素が１つの装置またはモジュール内に具現されることもでき、あるいは、１つの構成要素が多数の装置またはモジュールに分けられて具現されることもできる。
【００３０】
図１は、一実施形態に係る電子商取引システムを示す。
【００３１】
図１を参照すると、電子商取引システム１は、電子装置１０、購買者端末２０、販売者端末３０、および配送員端末４０を含むことができる。図１に示された電子商取引システム１は、本実施形態に関連した構成要素のみが示されている。従って、図１に示された構成要素以外に、他の汎用的な構成要素がさらに含まれ得ることを本実施形態に関連した技術分野における通常の知識を有する者なら理解することができる。
【００３２】
電子装置１０、購買者端末２０、販売者端末３０、および配送員端末４０は、ネットワーク５０内で互いに通信することができる。ネットワーク５０は、近距離通信網（Ｌｏｃａｌ  Ａｒｅａ  Ｎｅｔｗｏｒｋ；ＬＡＮ）、広域通信網（Ｗｉｄｅ  Ａｒｅａ  Ｎｅｔｗｏｒｋ；ＷＡＮ）、付加価値通信網（Ｖａｌｕｅ  Ａｄｄｅｄ  Ｎｅｔｗｏｒｋ；ＶＡＮ）、移動通信網（ｍｏｂｉｌｅ  ｒａｄｉｏ  ｃｏｍｍｕｎｉｃａｔｉｏｎ  ｎｅｔｗｏｒｋ）、衛星通信網およびこれらの相互組合せを含み、図１に示された各ネットワーク構成の主体が互いに円滑に通信できるようにする包括的な意味のデータ通信網であり、有線インターネット、無線インターネットおよびモバイル無線通信網を含むことができる。無線通信は、例えば、無線ＬＡＮ（Ｗｉ−Ｆｉ）、ブルートゥース（登録商標）、ブルートゥース（登録商標）低エネルギー（Ｂｌｕｅｔｏｏｔｈ  ｌｏｗ  ｅｎｅｒｇｙ）、ジグビー、ＷＦＤ（Ｗｉ−Ｆｉ  Ｄｉｒｅｃｔ）、ＵＷＢ（ｕｌｔｒａ  ｗｉｄｅｂａｎｄ）、赤外線通信（ＩｒＤＡ，ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等が挙げられるが、これに限定されるのではない。
【００３３】
購買者端末２０は、購買者が購入しようとする物品に対する注文および配送要請に伴う購買者情報を入力され得る。具体的に、購買者端末２０は、アプリケーションを介してディスプレイされるユーザインタフェースを購買者に提供することができ、購買者は、ユーザインタフェースを基に物品に対する注文情報、および物品に対する配送要請に伴う購買者情報を購買者端末２０に入力することができる。購買者端末２０に入力された物品注文情報および購買者情報は、電子装置１０に伝送され得る。
【００３４】
販売者端末３０は、物品に対する注文および配送要請に伴う購買者情報を獲得することができる。具体的に、販売者端末３０は、ネットワーク５０を用いて購買者端末２０から物品注文情報および購買者情報を受信することができる。次に、販売者は、物品注文および配送を処理するために物品の運送状情報を電子装置１０から獲得することができる。例えば、販売者は、販売者端末３０を介して電子装置１０に物品の配送を要請することができ、販売者端末３０は、電子装置１０から物品の運送状情報を獲得することができる。
【００３５】
電子装置１０は、物品配送サービスのためのプラットフォームを提供することができる。具体的に、電子装置１０は、物品配送サービスのためのアプリケーションを販売者端末３０または配送員端末４０に提供することができ、電子装置１０は、アプリケーションを実行して電子装置１０に接続された販売者端末３０または配送員端末４０を介して物品配送サービスを提供することができる。例えば、電子装置１０は、物品配送サービスを提供するサーバーに含まれ得る。電子装置１０は、販売者端末３０から受信した物品の配送要請に対応して、複数の配送員のうち選択された配送員の配送員端末４０を介して物品の配送を割り当てることができる。この際、電子装置１０は、選択された配送員の配送員端末４０に物品に関連した情報を配送員端末４０に提供することができる。ここで、物品に関連した情報は、物品の配送のために必要な情報であって、例えば運送状番号および購買者情報を含むことができる。ここで、運送状番号は、物品の運送に関する諸般事項に関連した情報を含む固有の番号であってもよく、購買者情報は、購買者の名前、電話番号および住所のような購買者の個人情報を含むことができる。また、購買者情報は、購買者が商品を配送されることを希望する配送地住所に関する情報を含むことができる。例えば、購買者情報は、配送地の郵便番号に関する情報を含むことができる。
【００３６】
配送員は、配送員端末４０を用いて電子装置１０から物品の配送を割り当てられ得る。それぞれの配送員は、固有の配送員端末４０を少なくとも１つ有しており、配送員端末４０は、配送進行状態に関連した情報を電子装置１０に伝送することができ、これによって、関連情報がアップデートされ得る。電子装置１０は、アプリケーションを用いて配送員端末４０に関連した情報を獲得することができる。例えば、電子装置１０は、配送員端末４０の位置情報および時間情報を獲得することができる。
【００３７】
電子装置１０、購買者端末２０、販売者端末３０および配送員端末４０で行われるより具体的な実施形態は、以下図面を参照して記述することにする。
【００３８】
図２は、一実施形態に係る配送状態管理方法に関連したフローチャートを示す。
【００３９】
図２を参照すると、購買者は、購買者端末２４０を用いて購買しようとする物品を決定することができ、物品に対して決済を進めることができる。すなわち、段階Ｓ２０１において、購買者端末２４０は、販売者端末２３０に物品購買要請および決済情報を伝送することができる。
【００４０】
段階Ｓ２０３において、販売者は、販売者端末２３０を用いて購買要請された物品および決済に関連した情報を確認することができ、決済された物品に対する配送要請を電子装置２２０に伝送することができる。この際、電子装置２２０は、販売者端末２３０と連携して購買者に物品に対する配送サービスを提供できる機器であって、配送要請に対応して運送状番号を販売者端末２３０または購買者端末２４０に伝送することができる。一方、実施形態において電子装置２２０と販売者端末２３０が別途のノードから構成されたことを説明するが、これは、同じサーバーで論理的に具現され得るノードであり得る。
【００４１】
段階Ｓ２０５において、電子装置２２０は、配送員端末２１０に物品に関連した情報を伝送することができる。具体的に、電子装置２２０は、複数の配送員のうち配送要請された物品の配送に適合した配送員を決定することができ、配送員端末２１０を用いて配送員に物品に関連した情報を提供することができる。この際、物品に関連した情報は、物品の配送に必要な情報であって、例えば運送状番号、配送地住所、顧客が入力した住所、購買者の名前および購買者の連絡先のうち少なくとも１つを含むことができる。
【００４２】
段階Ｓ２０７において、配送員端末２１０は、電子装置２２０に第１タイプに関連した情報を伝送することができる。具体的に、配送員端末２１０を用いて物品に関連した情報を確認した配送員は、関連情報を用いて購買者に当該物品を配送することができる。この際、配送員は、配送員端末２１０を用いて物品の配送進行状態に関連した情報を入力することができ、配送員端末２１０は、アプリケーションを介して電子装置２２０に入力された情報を伝送することができる。
【００４３】
配送進行状態に関連した情報は、第１タイプに対応する情報、第２タイプに対応する情報および第３タイプに対応する情報のうち少なくとも１つを含むことができる。この際、第１タイプに対応する配送進行状態に関連した情報は、配送員端末２１０で第２タイプに対応する配送進行状態と異なる入力画面で配送員により選択され得る。また、第１タイプに対応する配送進行状態に関連した情報は、配送員端末２１０で物品の配送住所情報が表示される画面で配送員により入力され得る。配送員が配送員端末２１０に表示されるアプリケーションで物品の配送進行状態に関連した情報を入力する過程については、以下図６〜図９で詳しく説明する。
【００４４】
ここで、第１タイプに対応する情報は、物品の配送中断に関連した情報を含むことができる。ここで、第１タイプに対応する情報は、一例として購買者が配送された物品に対して受取拒否をした場合、または物品の配送地住所が間違った住所であって、配送地住所を探すことができない場合、または物品の配送地住所は探すことができるが、出入り制限地域であって、配送が困難な場合を示す情報を含むことができる。例えば、購買者が配送員と対面して受取拒否の意思を明確に表示したり、または購買者が配送員に有線上で受取拒否の意思を明確に表示したり、または配送地住所が間違った住所であって、配送地住所が存在しないかまたは伝染病による病棟閉鎖のように配送地住所を探すことができるが、配送員の出入りが制限される場合が含まれ得る。
【００４５】
段階Ｓ２０９において、電子装置２２０は、配送員端末２１０から受信した情報に基づいて、配送進行状態をアップデートすることができる。具体的に、電子装置２２０は、物品の配送進行状態を第１状態にアップデートすることができる。ここで、第１状態は、物品の配送が中断された状態に対応することができる。
【００４６】
第１タイプに対応して物品の配送が中断された場合、電子装置は、当該物品に対する返品用の運送状を生成することができる。例えば、間違った住所によって配送中断された場合、電子装置は、配送進行状態を第１状態にアップデートしつつ、当該物品に対する返品用の運送状を自動で生成することができる。返品用の運送状が生成された物品は、回収対象であって、以下、段階Ｓ２１３のように回収指示が電子装置から配送員端末に伝送され得る。
【００４７】
段階Ｓ２１１において、電子装置２２０は、第１状態に対応する物品に対する払い戻し手続を行うことができる。配送中断された物品は、それ以上配送が試みられず、電子装置２２０は、購買者端末２４０に直ちに払い戻しに関する情報を伝送することができる。したがって、払い戻し手続が遅れることなく、迅速に進行され得る。例えば、電子装置２２０が購買者の受取拒否によって配送員端末２１０から第１タイプに関連した情報を受信した場合、電子装置２２０は、配送中断によって配送進行状態をアップデートしつつ、購買者端末２４０に払い戻し案内メッセージを伝送することができる。この際、払い戻し案内メッセージは、注文情報、払い戻し案内理由および払い戻し所要期間のうち少なくとも１つを含むことができる。また、電子装置２２０は、販売者端末２３０に払い戻しプロセスを行うための情報を提供することができる。
【００４８】
段階Ｓ２１３において、電子装置２２０は、配送員端末２１０に物品に対する回収指示を伝送することができる。具体的に、電子装置２２０が配送員端末２１０から第１タイプに関連した情報を受信した場合、物品に対する返品用の運送状を自動で生成することができる。電子装置２２０は、配送員端末２１０に返品用の運送状に対応して回収指示を伝送することができ、配送員は、回収指示による回収確認を配送員端末２１０に入力することができる。
【００４９】
実施形態によれば、電子装置２２０は、配送員端末２１０の位置を、アプリケーションを介してモニタリングすることができる。例えば、配送員端末２１０に内蔵された位置センサーを介して確認された位置がアプリケーションを介して電子装置２２０でモニタリングされ得る。この際、電子装置２２０は、回収確認が確認されていない状態で配送員端末２１０の位置が配送地住所から遠ざかる場合、配送員端末２１０に距離と時間を考慮して通知メッセージを伝送することができる。例えば、回収確認されない状態で配送員端末２１０の位置が配送地住所から遠ざかる場合、遠ざかる距離と時間を反映して１段階通知メッセージ（例えば、音声）／２段階通知メッセージ（例えば、振動）／３段階通知メッセージ（例えば、音声および振動）を伝送することができる。もし、電子装置２２０から配送員端末２１０に通知メッセージが伝送されたが、配送員が回収をせず、配送地住所から遠ざかった場合、電子装置２２０は、配送地住所の近くに位置する他の配送員の回収可能の有無を確認することができる。他の配送員が回収可能な場合、電子装置２２０は、配送地住所の近隣の回収可能な他の配送員端末に回収に関連した情報を伝送することができる。
【００５０】
図３は、他の実施形態に係る配送状態管理方法に関連したフローチャートを示す。
【００５１】
図３を参照すると、段階Ｓ３０１において、購買者端末３４０は、販売者端末３３０に物品購買要請および決済情報を伝送することができる。段階Ｓ３０１は、図２の段階Ｓ２０１の内容を含むところ、重複する内容については説明を省略する。
【００５２】
段階Ｓ３０３において、販売者端末３３０は、電子装置３２０に決済された物品に対する配送要請を伝送することができる。段階Ｓ３０３は、図２の段階Ｓ２０３の内容を含むところ、重複する内容については説明を省略する。
【００５３】
段階Ｓ３０５において、電子装置３２０は、配送員端末３１０に物品に関連した情報を伝送することができる。段階Ｓ３０５は、図２の段階Ｓ２０５の内容を含むところ、重複する内容については説明を省略する。
【００５４】
段階Ｓ３０７において、配送員端末３１０は、電子装置３２０に第２タイプに関連した情報を伝送することができる。具体的に、配送員端末３１０を用いて物品に関連した情報を確認した配送員は、関連情報を用いて購買者に当該物品を配送することができる。この際、配送員は、配送員端末３１０を用いて物品の配送進行状態に関連した情報を入力することができ、配送員端末３１０は、アプリケーションを介して電子装置３２０に入力された情報を伝送することができる。
【００５５】
配送進行状態に関連した情報は、第１タイプに対応する情報、第２タイプに対応する情報および第３タイプに対応する情報のうち少なくとも１つを含むことができる。この際、第２タイプに対応する情報は、次のシフト（ｓｈｉｆｔ）に再び物品の配送が試みられる場合に対応する情報を含むことができる。すなわち、第２タイプに対応する情報が配送員端末３１０で入力された場合、配送員は、次のシフト（ｓｈｉｆｔ）に当該物品の配送を再び試みることができる。この際、第２タイプに対応する情報は、一例として配送員が進入不可な場合を示す情報、または配送員が物品を配送するのに時間が不足した場合を示す情報、または配送員が誤分類または誤積載した場合を示す情報を含むことができる。例えば、購買者が玄関出入り番号を知らせなくて配送員が進入不可であるか、または購買者が記載した玄関出入り番号が誤っていて配送員が進入不可であるか、または管理人の不在によって配送員が進入不可であるか、または配送予定日に物品を配送するのに時間が不足したり、または配送員が決済された物品でなく、他の物品に誤分類または誤積載した場合が含まれ得る。
【００５６】
段階Ｓ３０９において、電子装置３２０は、配送員端末３１０から受信した情報に基づいて、配送進行状態をアップデートすることができる。具体的に、電子装置３２０は、物品の配送進行状態を第２状態にアップデートすることができる。ここで、第２状態は、配送予定日に配送が不可能で、次のシフト（ｓｈｉｆｔ）に物品の配送が再び試みられる状態に対応することができる。この際、第１タイプとは異なって、第２タイプに対応する場合、電子装置は、当該物品に対する返品用の運送状を生成しなくてもよい。
【００５７】
段階Ｓ３１１において、電子装置３２０は、購買者端末３４０に配送遅延に関する情報を伝送することができる。この際、配送員が入力した第２タイプに関連した情報が購買者端末３４０を介して表示され得、購買者は、配送遅延理由を確認することができる。
【００５８】
段階Ｓ３１３において、電子装置３２０は、配送員端末３１０に次のシフト（ｓｈｉｆｔ）に再配送を指示することができる。この際、電子装置３２０は、再配送対象となる物品が優先順位で配送され得るように、配送員端末３１０に再配送指示を伝送することができる。例えば、再配送対象となる物品が優先順位で配送され得るように、他の物品と区別される表示が配送員端末３１０に表現され得る。
【００５９】
図４は、他の実施形態に係る配送状態管理方法に関連したフローチャートを示す。
【００６０】
図４を参照すると、段階Ｓ４０１において、購買者端末４４０は、販売者端末４３０に物品購買要請および決済情報を伝送することができる。段階Ｓ４０１は、図２の段階Ｓ２０１の内容を含むところ、重複する内容については説明を省略する。
【００６１】
段階Ｓ４０３において、販売者端末４３０は、電子装置４２０に決済された物品に対する配送要請を伝送することができる。段階Ｓ４０３は、図２の段階Ｓ２０３の内容を含むところ、重複する内容については説明を省略する。
【００６２】
段階Ｓ４０５において、電子装置４２０は、配送員端末４１０に物品に関連した情報を伝送することができる。段階Ｓ４０５は、図２の段階Ｓ２０５の内容を含むところ、重複する内容については説明を省略する。
【００６３】
段階Ｓ４０７において、購買者端末４４０は、販売者端末４３０に取消要請を伝送することができ、段階Ｓ４０９において、販売者端末４３０は、電子装置４２０に取消要請を伝送することができる。
【００６４】
販売者端末または電子装置が取消要請を受信した場合、販売者端末または電子装置は、注文取消された物品に対する返品用の運送状を自動で生成することができる。前述した第１タイプに対応して生成された返品用の運送状は、配送員端末から物品の配送進行状態に関連した情報を受信して、自動で生成され得るが、第３タイプに対応して生成された返品用の運送状は、配送員端末から受信した情報と関係なく、購買者の取消要請を受信すると、自動で生成され得る。
【００６５】
段階Ｓ４１１において、取消要請された物品が配送員に割り当てられた後である場合、電子装置４２０は、配送員端末４１０に取消要請を伝送することができる。これとは異なって、取消要請された物品が配送員に割り当てられる前である場合、電子装置４２０は、取消処理による払い戻しに関する情報を購買者端末４４０に伝送することができる。
【００６６】
段階Ｓ４１３において、配送員端末４１０は、電子装置４２０に第３タイプに関連した情報を伝送することができる。具体的に、配送員は、配送員端末４１０を用いて物品の配送進行状態に関連した情報を入力することができ、配送員端末２１０は、アプリケーションを介して電子装置２２０に入力された情報を伝送することができる。配送進行状態に関連した情報は、第１タイプに対応する情報、第２タイプに対応する情報および第３タイプに対応する情報のうち少なくとも１つを含むことができる。この際、第３タイプに対応する情報は、取消要請（Ｓ４１１）に対応する物品がまだ購買者に配送される前の状態で配送員により取消確認された場合を示す情報を含むことができる。例えば、配送員が配送員端末４１０を用いて取消要請を受信したとき、当該物品に対してアプリケーション上で取消確認を入力した場合、第３タイプに関連した情報が電子装置４２０に伝送され得る。この際、配送員端末４１０では、第１タイプおよび第２タイプと一部異なるインターフェースが表示され得、これについて、以下、図９で詳しく説明する。
【００６７】
段階Ｓ４１５において、電子装置４２０は、配送員端末４１０から受信した情報に基づいて、配送進行状態をアップデートすることができる。具体的に、電子装置４２０は、物品の配送進行状態を第３状態にアップデートすることができる。ここで、第３状態は、注文取消による物品の配送中断された状態に対応することができる。
【００６８】
段階Ｓ４１７において、電子装置４２０は、物品に対する払い戻し手続を行うことができる。注文取消によって配送中断された物品は、それ以上配送が試みられず、電子装置４２０は、購買者端末４４０に払い戻し案内メッセージを介して払い戻しに関する情報を伝送することができる。例えば、配送員に配送が割り当てられた後に、取消要請（Ｓ４１１）による取消確認が配送員端末４１０に入力されたとき、購買者端末４４０は、電子装置４２０から払い戻しに関する情報を受信することができる。もし、配送員に配送が割り当てられる前に、電子装置４２０が取消要請（Ｓ４０９）を受信したとき、購買者端末４４０は、電子装置４２０から払い戻しに関する情報を受信することができる。また、電子装置４２０は、販売者端末４３０に払い戻しプロセスを行うための情報を提供することができる。
【００６９】
図５は、一実施形態に係る電子装置が物品の配送状態を管理するフローチャートを示す。
【００７０】
図５を参照すると、段階Ｓ５１０において、電子装置は、物品に関連した情報を配送員端末に伝送することができる。具体的に、購買者が物品に対して購買要請および決済をした場合、販売者は、販売者端末を用いて関連情報を確認することができ、販売者は、販売者端末を介して電子装置に決済された物品に対する配送要請を伝送することができる。この際、電子装置は、販売者端末と連携して購買者に物品に対する配送サービスを提供できる機器であって、配送要請に対応して運送状番号を販売者端末または購買者端末に伝送することができる。
【００７１】
ここで、配送員端末は、配送員に対応する端末であって、配送員は、配送員端末を用いて物品を購買者に配送することができる。電子装置は、複数の配送員のうち配送要請された物品の配送に適合した配送員を決定することができ、配送員端末に物品に関連した情報を伝送することができる。この際、物品に関連した情報は、物品の配送に必要な情報であって、例えば運送状番号、配送地住所、顧客が入力した住所、購買者の名前および購買者の連絡先のうち少なくとも１つを含むことができる。
【００７２】
段階Ｓ５２０において、電子装置は、物品の配送進行状態に関連した情報を受信することができる。配送員は、配送員端末を用いて物品を配送するとき、物品の配送進行状態に関連した情報を配送員端末に入力することができ、配送員端末は、アプリケーションを介して電子装置に入力された情報を伝送することができる。
【００７３】
この際、配送進行状態に関連した情報は、第１タイプに対応する情報、第２タイプに対応する情報および第３タイプに対応する情報のうち少なくとも１つを含むことができる。
【００７４】
ここで、第１タイプに対応する情報は、一例として購買者が配送された物品に対して受取拒否をした場合、または物品の配送地住所が間違った住所であって、配送地住所を探すことができない場合、または物品の配送地住所は探すことができるが、出入り制限地域であって、配送が困難な場合を示す情報を含むことができる。また、第２タイプに対応する情報は、一例として配送員が進入不可な場合を示す情報、または配送員が物品を配送するのに時間が不足した場合を示す情報、または配送員が誤分類または誤積載した場合を示す情報を含むことができる。また、第３タイプに対応する情報は、注文取消要請に対応する物品がまだ購買者に配送される前の状態で、配送員により取消確認された場合を示す情報を含むことができる。
【００７５】
段階Ｓ５３０において、電子装置は、受信した情報を確認することができる。
【００７６】
段階Ｓ５４０において、電子装置は、受信した情報が第１タイプに対応する場合、第１状態に配送進行状態をアップデートすることができる。この際、第１状態は、物品の配送が中断された状態に対応することができる。
【００７７】
電子装置は、配送員端末から受信した情報を確認して、第１タイプに対応するか否かを確認することができる。
【００７８】
実施形態によれば、電子装置は、配送員端末から受信した情報の内容から第１タイプに対応するか否かを確認することができる。例えば、電子装置は、配送員端末から受信した配送進行状態に関連した情報の内容を分析して、出入り制限地域に該当することを確認することができる。
【００７９】
他の実施形態によれば、電子装置は、配送員端末から受信した配送進行状態に関連した情報の回数および／または配送員端末に表示される画面の回数から第１タイプに対応するか否かを確認することができる。電子装置は、配送進行状態に関連した情報の回数および／または配送員端末に表示される画面の回数と基準値を比較して第１タイプに対応するか否かを確認することができる。電子装置は、配送員端末に設置されたアプリケーションを用いて配送進行状態に関連した情報の回数および／または配送員端末に表示される画面の回数をモニタリングすることができる。
【００８０】
例えば、配送員が図６の第１画面で未配送ボタン６１１を入力し、イメージ７１０の第２画面で未配送理由ボタン７１１を入力し、未配送処理ボタン７１５を入力した場合、電子装置は、配送進行状態に関連した情報を第１画面および第２画面を介して３回受信することができる。電子装置は、基準値１（例えば、２回）より大きく、基準値２（例えば、４回）より小さい場合、配送員端末から受信した配送進行状態に関連した情報を第２タイプに対応する配送遅延と確認することができ、次のシフトに再配送を指示することができる。他の例として、配送員が図６の第１画面で未配送ボタン６１１を入力し、イメージ７１０の第２画面でその他の理由ボタン７１３を入力し、イメージ７２０の第３画面で間違った住所ボタン７２１を入力し、イメージ８１０の第４画面で通知メッセージ８１５を入力し、未配送処理を入力した場合、電子装置は、配送進行状態に関連した情報を第１画面〜第４画面を介して５回受信することができる。電子装置は、基準値２（例えば、４回）より大きい場合、配送員端末から受信した配送進行状態に関連した情報を第１タイプに対応する配送中断と確認することができ、払い戻しを進めることができる。
【００８１】
段階Ｓ５５０において、電子装置は、受信した情報が第２タイプに対応する場合、第２状態に配送進行状態をアップデートすることができる。ここで、第２状態は、配送予定日に配送が不可能で、次のシフト（ｓｈｉｆｔ）に物品の配送が再び試みられる状態に対応することができる。一方、実施形態において次のシフトに物品配送が行われるようにすることができるが、これに制限されず、他の配送員あるいは他の配送時間に配送が行われ得るように配送プロセスが管理され得る。
【００８２】
段階Ｓ５６０において、電子装置は、受信した情報が第３タイプに対応する場合、第３状態に配送進行状態をアップデートすることができる。ここで、第３状態は、注文取消による物品の配送中断された状態に対応することができる。
【００８３】
図６〜図８は、一実施形態に係る配送員端末に表示されるアプリケーションによるコンテンツを示す図である。
【００８４】
図６を参照すると、交換／再配送６０１は、物品の配送と関連して注意事項を示す。例えば、再配送６０１が記載された場合、前回のシフトに配送されなくて、今回のシフトに再配送される場合を示す。物品の配送進行状態が第２状態である場合、再配送６０１が表示され得る。他の例として、交換６０１で記載された場合、前回のシフトで配送された商品が今回のシフトで交換された商品で配送される場合を示す。
【００８５】
配送される物品の運送状番号６０５ＸＸＸＸが配送員端末に表示される。ここで、運送状番号は、物品の運送に関する諸般事項に関連した情報を含む固有の番号であり得る。購買者は、運送状番号を照会して、注文した物品の配送状態を確認することができる。
【００８６】
住所６０９は、顧客が入力した住所ＺＺＺＺであって、購買者が購買者端末を介して入力した住所を示す。住所６０７は、配送地住所ＹＹＹＹであって、顧客が入力した住所ＺＺＺＺに基づいて決定された住所を示す。例えば、顧客が入力した住所ＺＺＺＺに基づいて決定された道路名住所が配送地住所ＹＹＹＹであり得る。この際、配送員は、配送地住所ＹＹＹＹをナビゲーションに利用して、目的地に到達することができる。
【００８７】
顧客が要請した配送位置６０３が配送員端末に表示され得、配送位置は、例えば玄関ドア前／管理室／無人宅配ボックスなどが記載され得る。したがって、配送員は、配送地住所に到達して、顧客が要請した配送位置６０３に物品を配送することができる。
【００８８】
配送完了ボタン６１３は、物品が配送地住所の配送位置に配送が完了した場合に選択されるボタンを示し、配送完了以後にアプリケーションで配送員により配送完了ボタンが選択され得る。反対に、未配送ボタン６１１は、物品の配送が完了しない場合に選択されるボタンを示し、配送が完了できない場合、アプリケーションで配送員により未配送ボタンが選択され得る。
【００８９】
図７は、一実施形態に係る配送員が未配送ボタン６１１を選択した場合に表示される画面を示す。配送進行状態が第１タイプに対応する場合、または第２タイプに対応する場合、配送完了ボタン６１３でなく、未配送ボタン６１１が選択され得る。
【００９０】
イメージ７１０は、未配送ボタン６１１が選択された場合に表示される画面であり、イメージ７２０は、「その他の理由」７１３が選択された場合に表示される画面である。「その他の理由」７１３の場合、配送員の注意のために、未配送理由７１１と異なる入力画面が追加に表示され得る。
【００９１】
イメージ７１０で、未配送理由７１１は、前述した第２タイプに対応し、「その他の理由」７１３は、前述した第１タイプに対応することができる。第２タイプに対応する情報とは異なって、第１タイプに対応する情報によれば、配送中断および払い戻し手続が進行されるので、配送員の注意が必要である。これにより、第１タイプに対応する配送進行状態に関連した情報は、配送員端末で第２タイプに対応する配送進行状態と異なる入力画面で配送員により選択され得る。例えば、第２タイプに対応する時間不足がイメージ７１０で選択され、未配送処理ボタン７１５が選択された場合、次のシフトで再配送が進行され得る。しかしながら、イメージ７１０で「その他の理由」７１３が選択された場合、異なる入力画面であるイメージ７２０が追加で表示され得る。
【００９２】
イメージ７２０で、未配送理由７２１は、前述した第１タイプに対応することができ、配送員の注意を喚起するために通知メッセージ７２３が表示され得る。通知メッセージ７２３は、未配送理由７２１が選択された場合、配送中断および払い戻し手続が進行されて配送員の注意を喚起するためである。
【００９３】
図８を参照すると、イメージ８１０は、イメージ７２０で間違った住所が選択された場合に示される入力画面であり、イメージ８２０は、イメージ７２０で出入り制限地域が選択された場合に示される入力画面である。イメージ８１０およびイメージ８２０のように、間違った住所および出入り制限地域の場合、配送員の注意を追加的に喚起させ、二重チェックのために表示される入力画面である。
【００９４】
この際、間違った住所および出入り制限地域の場合、物品の配送住所情報が表示される画面で入力され得る。配送住所情報は、顧客が入力した住所８１１、８２１および配送地住所８１３、８２３を含むことができる。イメージ８１０およびイメージ８２０で、配送員の注意を喚起するために通知メッセージ８１５、８２５が表示され得る。
【００９５】
実施形態によれば、配送員が物品の配送を完了できない場合、配送員端末で未配送ボタン６１１が選択され得る。未配送理由が第１タイプ７１３に対応する情報である場合、第２タイプ７１１に対応する情報が入力される画面と異なる入力画面で選択され得る。例えば、第２タイプ７１１に対応する情報は、イメージ７１０の画面で選択および処理され得、第１タイプ７１３に対応する情報は、イメージ７１０で「その他の理由」ボタンを選択した場合に表示されるイメージ７２０の画面で選択され得る。もし、間違った住所が選択された場合、物品の配送住所情報が表示されるイメージ８１０の画面で未配送処理８１５され得、また、出入り制限地域が選択された場合、物品の配送住所情報が表示されるイメージ８２０の画面で未配送処理８２５され得る。
【００９６】
他の実施形態によれば、配送員が配送地住所の配送位置に物品を配送した場合、配送員端末で配送完了ボタン６１３が選択され得る。
【００９７】
図９は、他の実施形態に係る配送員端末に表示されるアプリケーションによるコンテンツを示す図である。
【００９８】
図９を参照すると、取消９０１は、物品に対する取消要請が受け付けられたことを示す。具体的に、購買者端末で物品に対して取消要請を販売者端末に伝送した場合、販売者端末は、配送状態を管理する電子装置に取消要請を伝送することができる。注文取消された物品の配送を中断するために、図６とは異なって、取消９０１が配送員端末に表示され得る。これにより、配送員は、注文取消された物品を購買者に配送しなくてもよい。
【００９９】
注文取消９０１が受信された場合、未配送ボタン６１１または配送完了ボタン６１３でなく、取消確認ボタン９１１が表示され得る。注文取消が電子装置に受け付けられた場合、配送員端末は、取消確認ボタン９１１のみを表示することができて、配送員は、ミスで未配送ボタンまたは配送完了ボタンを選択することはできない。配送員により取消確認９１１された場合、配送員端末は、前述した第３タイプに対応する情報を電子装置に伝送することができ、配送中断および払い戻し手続が進行され得る。
【０１００】
図９の配送位置９０３、運送状番号９０５、配送地住所９０７および顧客が入力した住所９０９に関連した内容は、図６の内容と同一なので、重複する内容については説明を省略する。
【０１０１】
図１０は、一実施形態に係る電子装置のブロック図を示す。
【０１０２】
図１０を参照すると、電子装置１０００は、メモリ１０１０、プロセッサー１０２０および通信部１０３０のうち少なくとも１つを含むことができる。図１０に示された電子装置１０００は、本実施形態に関連した構成要素のみが示されている。したがって、図１０に示された構成要素以外に他の汎用的な構成要素がさらに含まれ得ることを本実施形態に関連した技術分野における通常の知識を有する者なら理解することができる。
【０１０３】
通信部１０３０は、外部の機器と通信することができる。外部の機器は、端末またはサーバーになり得る。また、通信部１０３０が利用する通信技術には、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＬＴＥ（Ｌｏｎｇ  Ｔｅｒｍ  Ｅｖｏｌｕｔｉｏｎ）、５Ｇ、ＷＬＡＮ（Ｗｉｒｅｌｅｓｓ  ＬＡＮ）、Ｗｉ−Ｆｉ（Ｗｉｒｅｌｅｓｓ−  Ｆｉｄｅｌｉｔｙ）、ブルートゥース（登録商標）（ＢｌｕｅｔｏｏｔｈＴＭ）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＺｉｇＢｅｅ、ＮＦＣ（Ｎｅａｒ  Ｆｉｅｌｄ  Ｃｏｍｍｕｎｉｃａｔｉｏｎ）等がありえる。
【０１０４】
通信部１０３０は、物品に対する配送要請に伴う購買者情報および取消要請を受信することができる。また、通信部１０３０は、配送要請された物品に関連した運送状番号を受信することができる。
【０１０５】
プロセッサー１０２０は、電子装置１０００の全般的な動作を制御し、データよび信号を処理することができる。プロセッサー１０２０は、少なくとも１つのハードウェアユニットから構成され得る。また、プロセッサー１０２０は、メモリ１０１０に保存されたプログラムコードを実行して生成される１つ以上のソフトウェアモジュールに動作することができる。
【０１０６】
プロセッサー１０２０は、前述したように、配送状態を管理するための動作を行うことができる。
【０１０７】
図１１は、一実施形態に係る配送員端末で行う配送状態管理方法に関するフローチャートである。
【０１０８】
段階Ｓ１１１０において、配送員端末は、物品に関連した情報を表示することができる。配送員端末は、電子装置から物品に関連した情報を受信することができる。この際、物品に関連した情報は、例えば、運送状番号および購買者情報のうち少なくとも１つを含むことができる。
【０１０９】
段階Ｓ１１２０において、配送員端末は、物品の配送進行状態に関連した情報を入力され得る。具体的に、物品の配送進行状態に関連した情報は、第１タイプに対応する情報、第２タイプに対応する情報および第３タイプに対応する情報のうち少なくとも１つを含むことができる。この際、第１タイプに対応する情報は、物品の配送中断に関連した情報を含むことができる。第２タイプに対応する情報は、次のシフト（ｓｈｉｆｔ）に再び物品の配送が試みられる場合に対応する情報を含むことができる。第３タイプに対応する情報は、取消要請に対応する物品がまだ購買者に配送される前の状態で配送員により取消確認された場合を示す情報を含むことができる。
【０１１０】
段階Ｓ１１３０において、配送進行状態に関連した情報が第１タイプに対応する場合、配送員端末は、物品に対する払い戻し手続が進行され得るように第１タイプに対応する情報を電子装置に伝送することができる。
【０１１１】
また、配送員端末は、配送進行状態に関連した情報が第２タイプに対応する場合、次のシフトに物品が配送されるように第２タイプに対応する情報を電子装置に伝送することができる。また、配送員端末は、配送進行状態に関連した情報が第３タイプに対応する場合、物品に対する払い戻し手続が進行され得るように第３タイプに対応する情報を電子装置に伝送することができる。
【０１１２】
前述した実施形態に係る装置は、プロセッサー、プログラムデータを保存し実行するメモリ、ディスクドライブのような永久保存部（ｐｅｒｍａｎｅｎｔ  ｓｔｏｒａｇｅ）、外部装置と通信する通信ポート、タッチパネル、キー（ｋｅｙ）、ボタン等のようなユーザインタフェース装置等を含むことができる。ソフトウェアモジュールまたはアルゴリズムで具現される方法は、前記プロセッサー上で実行可能なコンピュータが読み取り可能なコードまたはプログラム命令にてコンピュータが読み取り可能な記録媒体上に保存され得る。ここで、コンピュータが読み取り可能な記録媒体として、磁気記憶媒体（例えば、ＲＯＭ（ｒｅａｄ−ｏｎｌｙ  ｍｅｍｏｒｙ）、ＲＡＭ（ｒａｎｄｏｍ−Ａｃｃｅｓｓ  ｍｅｍｏｒｙ）、フロッピーディスク、ハードディスク等）および光学的読み取り媒体（例えば、シーディーロム（ＣＤ−ＲＯＭ）、ディーブイディー（ＤＶＤ：Ｄｉｇｉｔａｌ  Ｖｅｒｓａｔｉｌｅ  Ｄｉｓｃ））等がある。コンピュータが読み取り可能な記録媒体は、ネットワークで連結されたコンピュータシステムに分散して、分散方式でコンピュータで読み取り可能なコードが保存され実行され得る。媒体は、コンピュータにより読み取り可能であり、メモリに保存され、プロセッサーで実行され得る。
【０１１３】
本実施形態は、機能的なブロック構成および多様な処理段階で示され得る。このような機能ブロックは、特定の機能を実行する多様な個数のハードウェアまたは／およびソフトウェア構成で具現され得る。例えば、実施形態は、１つ以上のマイクロプロセッサーの制御または他の制御装置により多様な機能を実行できる、メモリ、プロセッシング、ロジック（ｌｏｇｉｃ）、ルックアップテーブル（ｌｏｏｋ−ｕｐ  ｔａｂｌｅ）等のような直接回路構成を採用することができる。構成要素がソフトウェアプログラミングまたはソフトウェア要素で実行され得ることと同様に、本実施形態は、データ構造、プロセス、ルーチンまたは他のプログラミング構成の組合せで具現される多様なアルゴリズムを含み、Ｃ、Ｃ＋＋、ジャバ（Ｊａｖａ）、アセンブラ（ａｓｓｅｍｂｌｅｒ）等のようなプログラミングまたはスクリプト言語で具現され得る。機能的な側面は、１つ以上のプロセッサーで実行されるアルゴリズムで具現され得る。また、本実施形態は、電子的な環境設定、信号処理、および／またはデータ処理等のために従来技術を採用することができる。「メカニズム」、「要素」、「手段」、「構成」のような用語は、広く使用され得、機械的および物理的な構成に限定されるものではない。前記用語は、プロセッサー等と連携してソフトウェアの一連の処理（ｒｏｕｔｉｎｅｓ）の意味を含むことができる。
【０１１４】
前述した実施形態は、１つの例示に過ぎず、後述する請求項の範囲内で他の実施形態が具現され得る。
【要約】
【課題】本発明の目的は、配送状態管理方法およびこれを行う電子装置を提供することである。
【解決手段】電子装置で行う配送状態管理方法が開示される。配送状態管理方法は、物品（ｉｔｅｍ）に関連した情報を配送員端末（ｃｏｕｒｉｅｒ  ｔｅｒｍｉｎａｌ）に伝送する段階と、前記配送員端末から前記物品の配送進行状態に関連した情報を受信する段階と、前記配送進行状態に関連した情報が第１タイプに対応する場合、前記物品に対する払い戻し手続を行う段階と、を含むことができる。本開示によれば、配送中断による払い戻しが遅れることなく、配送中断と共に顧客に払い戻し手続が迅速に進行され得る配送状態管理方法を提供することができる。
【選択図】図１【図１】
0006980865.tif 000002
【図２】
0006980865.tif 000003
【図３】
0006980865.tif 000004
【図４】
0006980865.tif 000005
【図５】
0006980865.tif 000006
【図６】
0006980865.tif 000007
【図７】
0006980865.tif 000008
【図８】
0006980865.tif 000009
【図９】
0006980865.tif 000010
【図１０】
0006980865.tif 000011
【図１１】
0006980865.tif 000012